(57)【要約】      （修正有）【課題】固定構造を有する耳栓型イヤホン及び耳栓を提供する。【解決手段】本固定構造を有する耳栓型イヤホンは、固定支持部が設置されたイヤホン本体１及び固定支持部１３に嵌め込まれた耳栓２を含む。耳栓２は、嵌着部２１、固定部２３及び当接部を有する。嵌着部２１の周縁は延長して固定部２３を形成し、固定部２３は少なくとも一つの折り曲げ部２３１及び少なくとも一つの係合部２３２を有する。折り曲げ部２３１の一端は嵌着部２１に固定され、他端は折り曲げられて変形し延長して係合部２３２を形成することができる。耳栓構造を改良することにより、人体の耳殻の形状に合わせられ、耳栓型イヤホンを安定且つ快適に耳に密着させ、同時にステレオ効果を向上させることができる。【選択図】図２Ａ
0003159710.tif 000002
【実用新案登録請求の範囲】
【請求項１】
固定支持部及び信号受信器が設置されるイヤホン本体と、
嵌着部及び固定部を有し、前記嵌着部には嵌着孔が設置され、前記嵌着孔は前記固定支持部に嵌め込まれ、前記嵌着部の周縁は延長して前記固定部を形成し、前記固定部は少なくとも一つの折り曲げ部及び少なくとも一つの係合部を有し、前記折り曲げ部の一端は嵌着部に固定され、前記折り曲げ部の他端は折り曲げられて変形し延長して前記係合部を形成することができる、耳栓とを含むことを特徴とする、固定構造を有する耳栓型イヤホン。
【請求項２】
前記嵌着部の一面は延長して密着部を形成し、前記密着部には密着スペースが設置され、前記固定支持部は前記嵌着部を貫通して前記密着スペース内に位置することを特徴とする、請求項１に記載の固定構造を有する耳栓型イヤホン。
【請求項３】
前記嵌着部のもう一面には当接部が設置されることを特徴とする、請求項２に記載の固定構造を有する耳栓型イヤホン。
【請求項４】
前記固定部はもう一つの折り曲げ部を更に含み、前記二つの折り曲げ部の一端は前記嵌着部に間隔を空けて設置され、前記二つの折り曲げ部の間は並行に設置され、前記二つの折り曲げ部の他端は前記係合部の両端にそれぞれ接続されることを特徴とする、請求項１に記載の固定構造を有する耳栓型イヤホン。
【請求項５】
前記固定部はもう一つの折り曲げ部を更に含み、前記各折り曲げ部は第一支持アーム及び第二支持アームを有し、前記第一支持アームの一端は前記嵌着部に固定され、且つ外に傾斜するように延長して前記第一支持アームの他端を形成し、前記第一支持アームの他端は前記第二支持アームの一端と接続され、且つ内に向かって傾斜するように延長して前記第二支持アームの他端を形成し、前記第二支持アームの他端はそれぞれ前記係合部の両端に接続されることを特徴とする、請求項１に記載の固定構造を有する耳栓型イヤホン。
【請求項６】
前記固定部はもう一つの折り曲げ部を更に含み、前記二つの折り曲げ部の一端は前記嵌着部の一点にまとめられて固定され、且つ前記点によって放射状に拡張して前記二つの折り曲げ部の他端を形成し、前記二つの折り曲げ部の他端はそれぞれ前記係合部の両端に接続されることを特徴とする、請求項１に記載の固定構造を有する耳栓型イヤホン。
【請求項７】
前記固定部はもう一つの折り曲げ部を更に含み、前記二つの折り曲げ部の一端は間隔を空けて前記嵌着部に固定され、前記二つの折り曲げ部の間は逆方向に傾斜させて設置され、前記折り曲げ部の他端は前記係合部の両端にそれぞれ接続されることを特徴とする、請求項１に記載の固定構造を有する耳栓型イヤホン。
【請求項８】
前記折り曲げ部の中間は前記嵌着部に固定され、前記折り曲げ部は曲率半径を有し、前記折り曲げ部は、中間を両端に向かって曲げることにより前記係合部の両端に接続されることを特徴とする、請求項１に記載の固定構造を有する耳栓型イヤホン。
【請求項９】
前記固定部はもう一つの係合部を更に含み、前記折り曲げ部の一端は前記嵌着部に固定され、前記折り曲げ部の他端は前記二つの係合部の一端に接続されることを特徴とする、請求項１に記載の固定構造を有する耳栓型イヤホン。
【請求項１０】
前記固定部はもう一つの折り曲げ部を更に含み、前記係合部は複数のラチェットを有し、前記折り曲げ部の一端は前記嵌着部に間隔を空けて固定され、前記折り曲げ部の他端はそれぞれ前記係合部の両端に接続され、前記ラチェットは連続波形状を呈しながら前記二つの折り曲げ部の間に設置されることを特徴とする、請求項１に記載の固定構造を有する耳栓型イヤホン。
【請求項１１】
イヤホン本体を有し、前記イヤホン本体には固定支持部が設置され、前記固定支持部の周縁は延長して固定部を形成し、前記固定部は少なくとも一つの折り曲げ部及び少なくとも一つの係合部を有し、前記折り曲げ部の一端は前記固定支持部に固定され、前記折り曲げ部の他端は折り曲げられて変形し延長して前記係合部を形成することができることを特徴とする、固定構造を有する耳栓型イヤホン。
【請求項１２】
前記固定部はもう一つの折り曲げ部を更に含み、前記二つの折り曲げ部の一端は前記嵌着部に間隔を空けて設置され、前記二つの折り曲げ部の間は並行に設置され、前記二つの折り曲げ部の他端はそれぞれ前記係合部の両端に接続されることを特徴とする、請求項１１に記載の固定構造を有する耳栓型イヤホン。
【請求項１３】
前記固定部はもう一つの折り曲げ部を更に含み、前記各折り曲げ部は第一支持アーム及び第二支持アームを有し、前記第一支持アームの一端は前記嵌着部に固定され、且つ外に向かって傾斜するように延長し前記第一支持アームの他端を形成し、前記第一支持アームの他端は前記第二支持アームの一端と接続され、且つ内に向かって傾斜するように延長して前記第二支持アームの他端を形成し、前記第二支持アームの他端はそれぞれ前記係合部の両端に接続されることを特徴とする、請求項１１に記載の固定構造を有する耳栓型イヤホン。
【請求項１４】
前記固定部はもう一つの折り曲げ部を更に含み、前記二つの折り曲げ部の一端は前記嵌着部の一点にまとめられて固定され、且つ前記点により放射状に拡張して前記二つの折り曲げ部の他端を形成し、前記二つの折り曲げ部の他端はそれぞれ前記係合部の両端に接続されることを特徴とする、請求項１１に記載の固定構造を有する耳栓型イヤホン。
【請求項１５】
前記固定部はもう一つの折り曲げ部を更に含み、前記二つの折り曲げ部の一端は間隔を空けて前記嵌着部に固定され、前記二つの折り曲げ部の間は逆方向に傾斜させて設置され、前記折り曲げ部の他端はそれぞれ前記係合部の両端に接続されることを特徴とする、請求項１１に記載の固定構造を有する耳栓型イヤホン。
【請求項１６】
前記折り曲げ部の中間は前記嵌着部に固定され、前記折り曲げ部は曲率半径を有し、前記折り曲げ部は中間を両端に向かって曲げることにより前記係合部の両端に接続されることを特徴とする、請求項１１に記載の固定構造を有する耳栓型イヤホン。
【請求項１７】
前記固定部はもう一つの係合部を更に含み、前記折り曲げ部の一端は前記嵌着部に固定され、前記折り曲げ部の他端は前記二つの係合部の一端に接続されることを特徴とする、請求項１１に記載の固定構造を有する耳栓型イヤホン。
【請求項１８】
前記固定部はもう一つの折り曲げ部を更に含み、前記係合部は複数のラチェットを有し、前記折り曲げ部の一端は間隔を空けて前記嵌着部に固定され、前記折り曲げ部の他端はそれぞれ前記係合部の両端に接続され、前記ラチェットは連続波形状を呈しながら前記二つの折り曲げ部の間に設置されることを特徴とする、請求項１１に記載の固定構造を有する耳栓型イヤホン。
【請求項１９】
嵌着部及び固定部を有し、前記嵌着部には嵌着孔が設置され、前記嵌着部の周縁は延長して前記固定部を形成し、前記固定部は少なくとも一つの折り曲げ部及び少なくとも一つの係合部を有し、前記折り曲げ部の一端は嵌着部に固定され、前記折り曲げ部の他端は折り曲げられて変形し延長して前記係合部を形成することができることを特徴とする、固定構造を有する耳栓。
【請求項２０】
前記嵌着部の一面は延長して密着部を形成し、前記密着部には密着スペースが設置されることを特徴とする、請求項１９に記載の固定構造を有する耳栓。
【請求項２１】
前記嵌着部のもう一つの面には当接部が設置されることを特徴とする、請求項２０に記載の固定構造を有する耳栓。
【請求項２２】
前記固定部はもう一つの折り曲げ部を更に含み、前記二つの折り曲げ部の一端は間隔を空けて前記嵌着部に固定され、前記二つの折り曲げ部の間は平行に設置され、前記二つの折り曲げ部の他端はそれぞれ前記係合部の両端に接続されることを特徴とする、請求項１９に記載の固定構造を有する耳栓。
【請求項２３】
前記固定部はもう一つの折り曲げ部を更に含み、前記各折り曲げ部は第一支持アーム及び一第二支持アームを有し、前記第一支持アームの一端は前記嵌着部に固定され、且つ外に向かって傾斜するように延長して前記第一支持アームの他端を形成し、前記第一支持アームの他端は前記第二支持アームの一端と接続され、且つ内に向かって傾斜するように延長して前記第二支持アームの他端を形成し、前記第二支持アーム他端はそれぞれ前記係合部の両端に接続されることを特徴とする、請求項１９に記載の固定構造を有する耳栓。
【請求項２４】
前記固定部はもう一つの折り曲げ部を更に含み、前記二つの折り曲げ部の一端は前記嵌着部の一点にまとめられて固定され、且つ前記点により放射状に拡張して前記二つの折り曲げ部の他端を形成し、前記二つの折り曲げ部の他端はそれぞれ前記係合部の両端に接続されることを特徴とする、請求項１９に記載の固定構造を有する耳栓。
【請求項２５】
前記固定部はもう一つの折り曲げ部を更に含み、前記二つの折り曲げ部の一端は間隔を空けて前記嵌着部に固定され、前記二つの折り曲げ部の間は逆方向に傾斜させて設置され、前記折り曲げ部の他端はそれぞれ前記係合部の両端に接続されることを特徴とする、請求項１９に記載の固定構造を有する耳栓。
【請求項２６】
前記折り曲げ部の中間は前記嵌着部に固定され、前記折り曲げ部は曲率半径を有し、前記折り曲げ部は、中間を両端に向かって曲げることにより前記係合部の両端に接続されることを特徴とする、請求項１９に記載の固定構造を有する耳栓。
【請求項２７】
前記固定部はもう一つの係合部を更に含み、前記折り曲げ部の一端は前記嵌着部に固定され、前記折り曲げ部の他端は前記二つの係合部の一端に接続されることを特徴とする、請求項１９に記載の固定構造を有する耳栓。
【請求項２８】
前記固定部はもう一つの折り曲げ部を更に含み、前記係合部は複数のラチェットを有し、前記折り曲げ部の一端は間隔を空けて前記嵌着部に固定され、前記折り曲げ部の他端はそれぞれ前記係合部の両端に接続され、前記ラチェットは連続波形状を呈しながら前記二つの折り曲げ部の間に設置されることを特徴とする、請求項１９に記載の固定構造を有する耳栓。
【考案の詳細な説明】
【技術分野】
【０００１】
本考案は固定構造を有する耳栓型イヤホン及び固定構造を有する耳栓に関し、特にステレオ装置に関する。
【背景技術】
【０００２】
携帯可能なマルチメディア装置の急速な発展と普及につれ、体積が小さく重量が軽い特性をもつイヤホンも幅広く使用されるようになってきている。従来のイヤホン、ブルートゥース（登録商標）イヤホンを問わず、その装着方法は、耳栓方式及びヘッドフォン方式の二種類であり、その内、耳栓型イヤホンでは、耳の耳道内に詰め込めるようにイヤホンのスピーカーのサイズを縮小して耳栓型イヤホンを耳に装着させる。
【０００３】
図１に示すように、従来の耳栓型イヤホンは、イヤホン本体１ａ及び耳栓２ａを含む。イヤホン本体１ａは耳道のサイズに対応するスピーカー１１ａを有し、耳栓２ａはスピーカー１１ａに嵌め込む。使用時には、耳栓２ａ及びスピーカー１１ａを耳道内に詰め込み、それによりスピーカー１１ａから生じる音声を耳に伝え、聴くという効果を達成することができる。
【０００４】
従来の耳栓型イヤホンは、耳栓２ａを嵌め込んだスピーカー１１ａを使用者の耳道内に詰め込むことで、耳に装着して使用することができる。スピーカー１１ａのサイズは使用者の耳道のサイズに合わないことが多いため、比較的大きなスピーカー１１ａのサイズは耳の不快感や痛みを引き起こし、比較的小さなスピーカー１１ａのサイズはイヤホン本体１ａが動いて取れやすく使用する上で極めて不便である。又、比較的小さなスピーカー１１ａのサイズは、スピーカー１１ａを耳道に密着させることができず、スピーカー１１ａと耳道の間に隙間を生じさせ、ステレオ効果に影響を及ぼす。使用者は、ステレオ効果を維持するためには、常にイヤホン本体１ａを押して、スピーカー１１ａを耳道に密着させる必要がある。その他、耳栓２ａは、耳道内に詰め込まれる時に耳道内の垢に直接接触するため、垢が付着して耳栓２ａ表面に溜まっていき衛生上好ましくない。長時間に渡って耳栓２ａを耳道に詰めると、使用者に不快や痛みを感じさせるだけではなく、溜まった垢によって耳道が細菌感染を起こし炎症を起こしやすくなる。
【０００５】
そこで、本考案者は、上述の欠点を改善並びに解決するために、度重なる研究と学術理論の運用を組み合わせることで、上述の欠点を改善するのに合理的で有効な設計である本考案を提出する。
【考案の概要】
【考案が解決しようとする課題】
【０００６】
本考案の目的は、耳栓構造を改良することにより人体の耳殻の形状に合わせられ、耳栓型イヤホンを安定且つ快適に耳に密着させ、同時にステレオ効果を向上させることができる、固定構造を有する耳栓型イヤホン及び固定構造を有する耳栓を提供することにある。
【課題を解決するための手段】
【０００７】
上述の目的を達成するために、本考案が提供する固定構造を有する耳栓型イヤホンは、イヤホン本体、前記イヤホン本体に設置されるスピーカー、及び耳栓を含む。前記耳栓は嵌着部及び固定部を有し、前記嵌着部は前記スピーカーに嵌め込まれる。前記嵌着部の周縁は延長して前記固定部を形成し、前記固定部は少なくとも一つの折り曲げ部及び少なくとも一つの係合部を有し、前記折り曲げ部の一端は嵌着部に固定され、前記折り曲げ部の他端は、折り曲げられて変形し前記係合部を形成することができる。
【０００８】
本考案が提供するもう一つの固定構造を有する耳栓型イヤホンは、イヤホン本体、前記イヤホン本体に設置される固定支持部を有する。前記固定支持部の周縁は延長して固定部を形成し、前記固定部は少なくとも一つの折り曲げ部及び少なくとも一つの係合部を有する。前記折り曲げ部の一端は前記固定支持部に固定され、前記折り曲げ部の他端は、折り曲げられて変形し前記係合部を形成することができる。
【０００９】
本考案が提供する更にもう一つの固定構造を有する耳栓は、嵌着部及び固定部を有する。前記嵌着部の周縁は延長して前記固定部を形成し、前記固定部は少なくとも一つの折り曲げ部及び少なくとも一つの係合部を有し、前記折り曲げ部の一端は嵌着部に固定され、前記折り曲げ部の他端は折り曲げられて変形し延長して前記係合部を形成することができる。
【考案の効果】
【００１０】
本考案は以下の有益な効果を有する：
１．固定部は、耳殻の外形に対応して適切に変形することができ、装着した時、耳栓を耳道に詰め込む必要がなく、従来の耳栓型イヤホンが耳栓を耳道に詰め込むことにより生じた痛みを防止することができる。その他、耳栓が付着するのを防止し、垢が溜まって細菌感染が生じるのを防止することもできる。
【００１１】
２．固定部は、耳殻の上軟骨及び下軟骨と係合して、支持・固定する時の作用点を形成することができ、従来の耳栓型イヤホンの外れやすく音声の品質に影響があるという欠点を防ぐことができる。
【図面の簡単な説明】
【００１２】
【図１】従来の耳栓型イヤホンの概略図である。
【図２Ａ】本考案の固定構造を有する耳栓型イヤホンの分解図である。
【図２Ｂ】本考案の固定構造を有する耳栓型イヤホンのもう一つの分解図である。
【図３】本考案の固定構造を有する耳栓型イヤホンの組立図である。
【図４】本考案の固定構造を有する耳栓型イヤホンの断面図である。
【図５Ａ】本考案の固定部の実施例１の方法の俯瞰図である。
【図５Ｂ】本考案の固定部の実施例２の方法の俯瞰図である。
【図５Ｃ】本考案の固定部の実施例３の方法の俯瞰図である。
【図５Ｄ】本考案の固定部の実施例４の方法の俯瞰図である。
【図５Ｅ】本考案の固定部の実施例５の方法の俯瞰図である。
【図５Ｆ】本考案の固定部の実施例６の方法の俯瞰図である。
【図５Ｇ】本考案の固定部の実施例７の方法の俯瞰図である。
【図６】本考案の固定構造を有する耳栓型イヤホンの使用状態図である。
【図７Ａ】本考案のイヤホン本体のもう一つの実施例の方法の概略図である。
【図７Ｂ】本考案のイヤホン本体のまたもう一つの実施例の方法の概略図である。
【図７Ｃ】本考案のイヤホン本体の更にもう一つの実施例の方法の概略図である。
【考案を実施するための形態】
【００１３】
本考案の特徴及び技術内容を一層理解できるよう、以下に本考案に関する詳細説明と添付図面を参照する。しかしながら、添付図面は参考と説明用に供したに過ぎず、本考案に制限を課すものではない。
【実施例】
【００１４】
図２Ａ、図２Ｂ及び図３に示すように、本考案が提供する固定構造を有する耳栓型イヤホンは、イヤホン本体１及び耳栓２を含む。
【００１５】
イヤホン本体１には、収納スペース１１、信号受信器１２及び固定支持部１３が設置される。収納スペース１１はイヤホン本体１内部に設置され、信号受信器１２及びスピーカー１２１を収納することができる。固定支持部１３には、収納スペース１１と通じている音声通路１３１が設置される。信号受信器１２は、ポータブルオーディオプレーヤー、パソコン、携帯電話、電話機等の電子製品の電子信号を受信し（例えば、伝送線伝送、ブルートゥース（登録商標）伝送、赤外線伝送等の有線又は無線信号伝送方式を利用する）、電子信号を音波信号に変換してスピーカー１２１に伝送し音声を生じさせることができ、それにより音声は音声通路１３１を通じて伝わっていく。しかしながら、この類の信号受信器１２は従来技術に良く見られる電子部材であり、ここでは記載を省略する。
【００１６】
耳栓２は、嵌着部２１、密着部２２、固定部２３及び当接部２４を有する。嵌着部２１の面は延長して密着部２２を形成し、嵌着部２１の周縁は延長して固定部２３を形成し、嵌着部２１のもう一つの面には当接部２４が設置される。嵌着部２１には嵌着孔２１１が設置され、嵌着孔２１１は嵌着部２１の両面を貫通し、それにより、嵌着部２１がイヤホン本体１の固定支持部１３に嵌め込まれる時、固定支持部１３は嵌着孔２１１を貫通し、嵌着部２１に固定支持部１３の外縁を圧迫させ固定の効果を達成することができる。密着部２２には密着スペース２２１が設置され、密着部２２は嵌着部２１の表面から突出し、且つ密着スペース２２１は嵌着孔２１１と相互に通じている。固定支持部１３は嵌着孔２１１を貫通して密着スペース２２１内に位置し（図４を参照）、それにより密着部２２は固定支持部１３の周囲を囲繞しステレオ効果を高める。固定部２３は少なくとも一つの折り曲げ部２３１及び少なくとも一つの係合部２３２を有し、折り曲げ部２３１の一端は嵌着部２１に固定され、他端は折り曲げられて変形し延長して係合部２３２を形成することができる。例えば、図５Ａに示すように、固定部２３Ａは二つの折り曲げ部２３１Ａを有し、前記二つの折り曲げ部２３１Ａの一端は間隔を開けて嵌着部２１に固定され、前記二つの折り曲げ部２３１Ａの間は平行に設置され、前記二つの折り曲げ部２３１Ａの他端は係合部２３２Ａの両端にそれぞれ接続され、矩形の幾何学的な形状を構成することができる。
【００１７】
又、図５Ｂから図５Ｇに示すように、固定部２３Ａは異なる様々な設計をすることができる。例えば、図５Ｂでは、固定部２３Ｂは二つの折り曲げ部２３１Ｂを有し、各折り曲げ部２３１Ｂは第一支持アーム２３１１Ｂ及び第二支持アーム２３１２Ｂを有する。第一支持アーム２３１１Ｂの一端は嵌着部２１に固定され、且つ外に向かって傾斜するように延長して第一支持アーム２３１１Ｂの他端を形成し、第一支持アーム２３１１Ｂの他端は第二支持アーム２３１２Ｂの一端と接続され、且つ内に向かって傾斜するように延長して第二支持アーム２３１２Ｂの他端を形成し、第二支持アーム２３１２Ｂの他端はそれぞれ係合部２３２Ｂの両端に接続され、五辺形以上の多辺形の幾何学的な形状を構成することができる。例えば、図５Ｃでは、固定部２３Ｃは二つの折り曲げ部２３１Ｃを有し、前記二つの折り曲げ部２３１Ｃの一端は、嵌着部２１の一点にまとめられて固定され且つ前記点により放射状に拡張して折り曲げ部２３１Ｃの他端を形成し、折り曲げ部２３１Ｃの他端は係合部２３２Ｃの両端にそれぞれ接続され、三角形の幾何学的な形状を構成することができる。例えば、図５Ｄでは、固定部２３Ｄは二つの折り曲げ部２３１Ｄを有し、前記二つの折り曲げ部２３１Ｄの一端は間隔を空けて嵌着部２１に固定され、折り曲げ部２３１Ｄの間は逆方向に傾斜させて設置され、折り曲げ部２３１Ｄの他端は係合部２３２Ｄの両端にそれぞれ接続され、台形の幾何学的な形状を構成することができる。例えば、図５Ｅでは、固定部２３Ｅは折り曲げ部２３１Ｅを有し、折り曲げ部２３１Ｅの中間は嵌着部２１に固定され、折り曲げ部２３１Ｅは曲率半径Ｒを有し、それにより折り曲げ部２３１Ｅは中間を両端に向かって曲げることにより係合部２３２Ｅの両端に接続され、半月形の幾何学的な形状を構成することができる。例えば、図５Ｆでは、固定部２３Ｆは折り曲げ部２３１Ｆ及び二つの係合部２３２Ｆを有し、折り曲げ部２３１Ｆの一端は嵌着部２１に固定され、他端は前記二つの係合部２３２Ｆの一端に接続される。図５Ｇでは、固定部２３Ｇは二つの折り曲げ部２３１Ｇ、及び複数のラチェット２３２１Ｇを具える係合部２３２Ｇを有し、折り曲げ部２３１Ｇの一端は間隔を開けて嵌着部２１に固定され、折り曲げ部２３１Ｇの他端は係合部２３２Ｇの両端にそれぞれ接続され、ラチェット２３２１Ｇは連続波形状を呈しながら折り曲げ部２３１Ｇの間に設置される。その他、前記固定部２３、２３Ａ、２３Ｂ、２３Ｃ、２３Ｄ、２３Ｅ、２３Ｆ、２３Ｇの中間部分はソリッドボディにすることができ、同様の効果を達成することができる。
【００１８】
図６に示すように、耳栓２が耳３に装着された時、密着部２２は耳殻３２の外形に対応して適切に変形することができ、密着部２２が耳道３１の外側の耳殻３２と接触することで、接触の張り付き度及び快適度を高めることができる。その他、密着スペース２２１と耳道３１は密封スペースを形成し、固定支持部１３と耳道３１の間に隙間ができるのを防ぎ、スピーカー１２１のステレオ効果を向上させることができる。
【００１９】
密着部２２が耳殻３２に密着する時、固定部２３の折り曲げ部２３１は耳殻３２の外形に対応して適切に変形することができ、変形後の折り曲げ部２３１は弾性の回復力をもち、それにより固定部２３の係合部２３２は耳殻３２の上軟骨３２１と係合し、又固定部２３の当接部２４は耳殻３２の下軟骨３２２に当接し、それにより支持・固定の効果を達成し、固定支持部１３が外れて音声の品質に影響するのを防ぐことができる。
【００２０】
又、図７Ａから図７Ｃに示すように、イヤホン本体１は異なる様々な設計をすることができる。例えば、図７Ａが異なるのは、イヤホン本体１Ａの固定支持部１３Ａと密着部１３２Ａ及び固定部１３３Ａが一体成形された点である。イヤホン本体１Ａには固定支持部１３Ａが設置され、固定支持部１３Ａには、音声通路１３１Ａ、密着部１３２Ａ及び固定部１３３Ａが設置される。固定支持部１３Ａの一面は延長して密着部１３２Ａを形成し、固定支持部１３Ａの周縁は延長して固定部１３３Ａを形成する。密着部１３２Ａには密着スペース１３２１Ａが設置され、密着スペース１３２１Ａは音声通路１３１Ａと相互に通じている。固定部１３３Ａは少なくとも一つの折り曲げ部１３３１Ａ及び少なくとも一つの係合部１３３２Ａを有し、折り曲げ部１３３１Ａの一端は固定支持部１３Ａに固定され、他端は折り曲げられて変形し延長して係合部１３３２Ａを形成することができる。図７Ｂが異なるのは、イヤホン本体１Ｂの一端が延長して耳道のサイズに対応する固定支持部１３Ｂを形成し、耳栓２が固定支持部１３Ｂに嵌め込まれるという点である。図７Ｃが異なるのは、イヤホン本体１Ｃの一端が延長して耳道のサイズに対応する固定支持部１３Ｃを形成し、固定支持部１３Ｃが密着部１３２Ｃ及び固定部１３３Ｃを有し、固定支持部１３Ｃの一面が延長して密着部１３２Ｃを形成し、固定支持部１３Ｃの周縁が延長して固定部１３３Ｃを形成し、固定支持部１３Ｃ、密着部１３２Ｃ及び固定部１３３Ｃが一体成形された、という点である。
【００２１】
上記を総合すると、本考案は以下の特色を有する：
１．密着部２２及び固定部２３は、耳殻３２の外形に対応して適切に変形することができ、装着する時に耳栓２を耳道３１を詰め込む必要がなく、従来の耳栓型イヤホンが耳栓を耳道３１に詰め込むことによって生じた痛みを防止することができる。その他、耳栓２が付着するのを防止し、垢が溜まって細菌感染が生じるのを防止することもできる。
【００２２】
２．密着部２２は耳道３１外側の耳殻３２に密着し、同時に固定部２３は耳殻３２の上軟骨３２１及び下軟骨３２２と係合して、支持・固定する時の作用点を形成することができ、従来の耳栓型イヤホンの外れやすく音声の品質に影響があるという欠点を防ぐことができる。
【００２３】
３．固定支持部１３は嵌着孔２１１を貫通して密着スペース２２１内に位置し、それにより密着部２２は固定支持部１３の周囲を囲繞し、従来の耳栓型イヤホンで耳栓を耳道３１に詰め込む時、固定支持部１３と耳道３１の間の隙間がステレオ効果に与えていた影響をなくすことができる。
【００２４】
上記内容は本考案の好ましい実施例に過ぎず、本考案の登録請求の範囲を限定するものではないため、本考案で開示した趣旨を逸脱しないで完成された等価変更若しくは補正は、全て本考案における登録請求の範囲内に含まれるものとする。
【符号の説明】
【００２５】
１ａ        イヤホン本体  
１１ａ      スピーカー  
２ａ        耳栓  
１          イヤホン本体  
１１        収納スペース              
１２        信号受信器  
１２１      スピーカー                
１３        固定支持部  
１３１      音声通路  
２          耳栓  
２１        嵌着部                
２１１      嵌着孔  
２２        密着部                
２２１      密着スペース  
２３        固定部                
２３１      折り曲げ部  
２３２      係合部            
２４        当接部  
３          耳  
３１        耳道                  
３２        耳殻  
３２１      上軟骨            
３２２      下軟骨  
２３Ａ      固定部            
２３１Ａ    折り曲げ部  
２３２Ａ    係合部  
２３Ｂ      固定部            
２３１Ｂ    折り曲げ部
２３１１Ｂ  第一支持アーム
２３１２Ｂ  第二支持アーム
２３２Ｂ    係合部
２３Ｃ      固定部              
２３１Ｃ    折り曲げ部  
２３２Ｃ    係合部  
２３Ｄ      固定部              
２３１Ｄ    折り曲げ部  
２３２Ｄ    係合部  
２３Ｅ      固定部              
２３１Ｅ    折り曲げ部  
２３２Ｅ    係合部            
Ｒ          曲率半径  
２３Ｆ      固定部              
２３１Ｆ    折り曲げ部  
２３２Ｆ    係合部  
２３Ｇ      固定部
２３１Ｇ    折り曲げ部  
２３２Ｇ    係合部          
２３２１Ｇ  ラチェット  
１Ａ        イヤホン本体  
１３Ａ      固定支持部              
１３１Ａ    音声通路
１３２Ａ    密着部            
１３２１Ａ  密着スペース  
１３３Ａ    固定部            
１３３１Ａ  折り曲げ部  
１３３２Ａ  係合部  
１Ｂ        イヤホン本体  
１３Ｂ      固定支持部  
１Ｃ        イヤホン本体  
１３Ｃ      固定支持部              
１３２Ｃ    密着部  
１３３Ｃ    固定部  
【図１】
0003159710.tif 000003
【図２Ａ】
0003159710.tif 000004
【図２Ｂ】
0003159710.tif 000005
【図３】
0003159710.tif 000006
【図４】
0003159710.tif 000007
【図５Ａ】
0003159710.tif 000008
【図５Ｂ】
0003159710.tif 000009
【図５Ｃ】
0003159710.tif 000010
【図５Ｄ】
0003159710.tif 000011
【図５Ｅ】
0003159710.tif 000012
【図５Ｆ】
0003159710.tif 000013
【図５Ｇ】
0003159710.tif 000014
【図６】
0003159710.tif 000015
【図７Ａ】
0003159710.tif 000016
【図７Ｂ】
0003159710.tif 000017
【図７Ｃ】
0003159710.tif 000018
【手続補正書】
【提出日】平成22年3月25日(2010.3.25)
【手続補正１】
【補正対象書類名】実用新案登録請求の範囲
【補正対象項目名】全文
【補正方法】変更
【補正の内容】
【実用新案登録請求の範囲】
【請求項１】
固定支持部及び信号受信器が設置されるイヤホン本体と、
嵌着部及び固定部を有し、前記嵌着部には嵌着孔が設置され、前記嵌着孔は前記固定支持部に嵌め込まれ、前記嵌着部の周縁は延長して前記固定部を形成し、前記固定部は少なくとも一つの折り曲げ部及び少なくとも一つの係合部を有し、前記折り曲げ部の一端は嵌着部に固定され、前記折り曲げ部の他端は折り曲げられて変形し延長して前記係合部を形成することができる、耳栓とを含むことを特徴とする、固定構造を有する耳栓型イヤホン。
【請求項２】
前記嵌着部の一面は延長して密着部を形成し、前記密着部には密着スペースが設置され、前記固定支持部は前記嵌着部を貫通して前記密着スペース内に位置することを特徴とする、請求項１に記載の固定構造を有する耳栓型イヤホン。
【請求項３】
前記嵌着部のもう一面には当接部が設置されることを特徴とする、請求項２に記載の固定構造を有する耳栓型イヤホン。
【請求項４】
前記固定部はもう一つの折り曲げ部を更に含み、前記二つの折り曲げ部の一端は前記嵌着部に間隔を空けて設置され、前記二つの折り曲げ部の間は並行に設置され、前記二つの折り曲げ部の他端は前記係合部の両端にそれぞれ接続されることを特徴とする、請求項１に記載の固定構造を有する耳栓型イヤホン。
【請求項５】
前記固定部はもう一つの折り曲げ部を更に含み、前記各折り曲げ部は第一支持アーム及び第二支持アームを有し、前記第一支持アームの一端は前記嵌着部に固定され、且つ外に傾斜するように延長して前記第一支持アームの他端を形成し、前記第一支持アームの他端は前記第二支持アームの一端と接続され、且つ内に向かって傾斜するように延長して前記第二支持アームの他端を形成し、前記第二支持アームの他端はそれぞれ前記係合部の両端に接続されることを特徴とする、請求項１に記載の固定構造を有する耳栓型イヤホン。
【請求項６】
前記固定部はもう一つの折り曲げ部を更に含み、前記二つの折り曲げ部の一端は前記嵌着部の一点にまとめられて固定され、且つ前記点によって放射状に拡張して前記二つの折り曲げ部の他端を形成し、前記二つの折り曲げ部の他端はそれぞれ前記係合部の両端に接続されることを特徴とする、請求項１に記載の固定構造を有する耳栓型イヤホン。
【請求項７】
前記固定部はもう一つの折り曲げ部を更に含み、前記二つの折り曲げ部の一端は間隔を空けて前記嵌着部に固定され、前記二つの折り曲げ部の間は逆方向に傾斜させて設置され、前記折り曲げ部の他端は前記係合部の両端にそれぞれ接続されることを特徴とする、請求項１に記載の固定構造を有する耳栓型イヤホン。
【請求項８】
前記折り曲げ部の中間は前記嵌着部に固定され、前記折り曲げ部は曲率半径を有し、前記折り曲げ部は、中間を両端に向かって曲げることにより前記係合部の両端に接続されることを特徴とする、請求項１に記載の固定構造を有する耳栓型イヤホン。
【請求項９】
前記固定部はもう一つの係合部を更に含み、前記折り曲げ部の一端は前記嵌着部に固定され、前記折り曲げ部の他端は前記二つの係合部の一端に接続されることを特徴とする、請求項１に記載の固定構造を有する耳栓型イヤホン。
【請求項１０】
前記固定部はもう一つの折り曲げ部を更に含み、前記係合部は複数のラチェットを有し、前記折り曲げ部の一端は前記嵌着部に間隔を空けて固定され、前記折り曲げ部の他端はそれぞれ前記係合部の両端に接続され、前記ラチェットは連続波形状を呈しながら前記二つの折り曲げ部の間に設置されることを特徴とする、請求項１に記載の固定構造を有する耳栓型イヤホン。
【請求項１１】
イヤホン本体を有し、前記イヤホン本体には固定支持部が設置され、前記固定支持部の周縁は延長して固定部を形成し、前記固定部は少なくとも一つの折り曲げ部及び少なくとも一つの係合部を有し、前記折り曲げ部の一端は前記固定支持部に固定され、前記折り曲げ部の他端は折り曲げられて変形し延長して前記係合部を形成することができることを特徴とする、固定構造を有する耳栓型イヤホン。
【請求項１２】
前記固定部はもう一つの折り曲げ部を更に含み、前記二つの折り曲げ部の一端は前記固定支持部に間隔を空けて設置され、前記二つの折り曲げ部の間は並行に設置され、前記二つの折り曲げ部の他端はそれぞれ前記係合部の両端に接続されることを特徴とする、請求項１１に記載の固定構造を有する耳栓型イヤホン。
【請求項１３】
前記固定部はもう一つの折り曲げ部を更に含み、前記各折り曲げ部は第一支持アーム及び第二支持アームを有し、前記第一支持アームの一端は前記固定支持部に固定され、且つ外に向かって傾斜するように延長し前記第一支持アームの他端を形成し、前記第一支持アームの他端は前記第二支持アームの一端と接続され、且つ内に向かって傾斜するように延長して前記第二支持アームの他端を形成し、前記第二支持アームの他端はそれぞれ前記係合部の両端に接続されることを特徴とする、請求項１１に記載の固定構造を有する耳栓型イヤホン。
【請求項１４】
前記固定部はもう一つの折り曲げ部を更に含み、前記二つの折り曲げ部の一端は前記固定支持部の一点にまとめられて固定され、且つ前記点により放射状に拡張して前記二つの折り曲げ部の他端を形成し、前記二つの折り曲げ部の他端はそれぞれ前記係合部の両端に接続されることを特徴とする、請求項１１に記載の固定構造を有する耳栓型イヤホン。
【請求項１５】
前記固定部はもう一つの折り曲げ部を更に含み、前記二つの折り曲げ部の一端は間隔を空けて前記固定支持部に固定され、前記二つの折り曲げ部の間は逆方向に傾斜させて設置され、前記折り曲げ部の他端はそれぞれ前記係合部の両端に接続されることを特徴とする、請求項１１に記載の固定構造を有する耳栓型イヤホン。
【請求項１６】
前記折り曲げ部の中間は前記固定支持部に固定され、前記折り曲げ部は曲率半径を有し、前記折り曲げ部は中間を両端に向かって曲げることにより前記係合部の両端に接続されることを特徴とする、請求項１１に記載の固定構造を有する耳栓型イヤホン。
【請求項１７】
前記固定部はもう一つの係合部を更に含み、前記折り曲げ部の一端は前記固定支持部に固定され、前記折り曲げ部の他端は前記二つの係合部の一端に接続されることを特徴とする、請求項１１に記載の固定構造を有する耳栓型イヤホン。
【請求項１８】
前記固定部はもう一つの折り曲げ部を更に含み、前記係合部は複数のラチェットを有し、前記折り曲げ部の一端は間隔を空けて前記固定支持部に固定され、前記折り曲げ部の他端はそれぞれ前記係合部の両端に接続され、前記ラチェットは連続波形状を呈しながら前記二つの折り曲げ部の間に設置されることを特徴とする、請求項１１に記載の固定構造を有する耳栓型イヤホン。
【請求項１９】
嵌着部及び固定部を有し、前記嵌着部には嵌着孔が設置され、前記嵌着部の周縁は延長して前記固定部を形成し、前記固定部は少なくとも一つの折り曲げ部及び少なくとも一つの係合部を有し、前記折り曲げ部の一端は嵌着部に固定され、前記折り曲げ部の他端は折り曲げられて変形し延長して前記係合部を形成することができることを特徴とする、固定構造を有する耳栓。
【請求項２０】
前記嵌着部の一面は延長して密着部を形成し、前記密着部には密着スペースが設置されることを特徴とする、請求項１９に記載の固定構造を有する耳栓。
【請求項２１】
前記嵌着部のもう一つの面には当接部が設置されることを特徴とする、請求項２０に記載の固定構造を有する耳栓。
【請求項２２】
前記固定部はもう一つの折り曲げ部を更に含み、前記二つの折り曲げ部の一端は間隔を空けて前記嵌着部に固定され、前記二つの折り曲げ部の間は平行に設置され、前記二つの折り曲げ部の他端はそれぞれ前記係合部の両端に接続されることを特徴とする、請求項１９に記載の固定構造を有する耳栓。
【請求項２３】
前記固定部はもう一つの折り曲げ部を更に含み、前記各折り曲げ部は第一支持アーム及び第二支持アームを有し、前記第一支持アームの一端は前記嵌着部に固定され、且つ外に向かって傾斜するように延長して前記第一支持アームの他端を形成し、前記第一支持アームの他端は前記第二支持アームの一端と接続され、且つ内に向かって傾斜するように延長して前記第二支持アームの他端を形成し、前記第二支持アーム他端はそれぞれ前記係合部の両端に接続されることを特徴とする、請求項１９に記載の固定構造を有する耳栓。
【請求項２４】
前記固定部はもう一つの折り曲げ部を更に含み、前記二つの折り曲げ部の一端は前記嵌着部の一点にまとめられて固定され、且つ前記点により放射状に拡張して前記二つの折り曲げ部の他端を形成し、前記二つの折り曲げ部の他端はそれぞれ前記係合部の両端に接続されることを特徴とする、請求項１９に記載の固定構造を有する耳栓。
【請求項２５】
前記固定部はもう一つの折り曲げ部を更に含み、前記二つの折り曲げ部の一端は間隔を空けて前記嵌着部に固定され、前記二つの折り曲げ部の間は逆方向に傾斜させて設置され、前記折り曲げ部の他端はそれぞれ前記係合部の両端に接続されることを特徴とする、請求項１９に記載の固定構造を有する耳栓。
【請求項２６】
前記折り曲げ部の中間は前記嵌着部に固定され、前記折り曲げ部は曲率半径を有し、前記折り曲げ部は、中間を両端に向かって曲げることにより前記係合部の両端に接続されることを特徴とする、請求項１９に記載の固定構造を有する耳栓。
【請求項２７】
前記固定部はもう一つの係合部を更に含み、前記折り曲げ部の一端は前記嵌着部に固定され、前記折り曲げ部の他端は前記二つの係合部の一端に接続されることを特徴とする、請求項１９に記載の固定構造を有する耳栓。
【請求項２８】
前記固定部はもう一つの折り曲げ部を更に含み、前記係合部は複数のラチェットを有し、前記折り曲げ部の一端は間隔を空けて前記嵌着部に固定され、前記折り曲げ部の他端はそれぞれ前記係合部の両端に接続され、前記ラチェットは連続波形状を呈しながら前記二つの折り曲げ部の間に設置されることを特徴とする、請求項１９に記載の固定構造を有する耳栓。